(57)【要約】  プロトコルのための制御情報を与える方法が開示される。この方法において、少なくとも１つの通信装置に使用されるプロトコルに関連した少なくとも１つのタイマーを構成するために、少なくとも１つのタイマー値を指示する情報が前記少なくとも１つの通信装置へ送信される。通信装置も設けられ、この通信装置は、プロトコルのための制御情報を受け取るように構成され、この制御情報は、通信ネットワークにより送信されたもので、プロトコルのための少なくとも１つのタイマー値を指示し、更に、通信装置に使用されるプロトコルに関連した少なくとも１つのタイマー値は、その受け取った制御情報に基づいて構成される。
2008501265.tif 000002
【特許請求の範囲】
【請求項１】
通信ネットワークにおける通信のベースとなるプロトコルのための制御情報を与える方法において、
少なくとも１つの通信装置に使用されるプロトコルに関連した少なくとも１つのタイマーを構成して、通信ネットワークにおけるセッションを制御するために、前記少なくとも１つの通信装置へ少なくとも１つのタイマー値を指示する情報を送信するステップを備えた方法。
【請求項２】
前記少なくとも１つのタイマー値を指示する情報を送信する前記ステップを、所与のアクションに応答してトリガーするためのステップを更に備えた、請求項１に記載の方法。
【請求項３】
前記トリガーステップにおいて、前記所与のアクションは、アクセスネットワークに入ることを含む、請求項２に記載の方法。
【請求項４】
前記トリガーステップにおいて、前記所与のアクションは、サービスに加入することを含む、請求項２に記載の方法。
【請求項５】
前記トリガーステップにおいて、前記所与のアクションは、サービスフレームワークに登録することを含む、請求項２に記載の方法。
【請求項６】
前記トリガーステップにおいて、前記所与のアクションは、パケットデータコンテクストをアクチベートすることを含む、請求項２に記載の方法。
【請求項７】
前記少なくとも１つのタイマー値を指示する情報を送信する前記ステップは、前記所与のアクションに関連して実行される、請求項２に記載の方法。
【請求項８】
前記所与のアクションは、プロトコルを使用して実行され、そして前記送信ステップにおいて、前記少なくとも１つのタイマー値を指示する前記情報は、前記プロトコルを使用して送信される、請求項７に記載の方法。
【請求項９】
前記トリガーステップにおいて、前記所与のアクションは、通信システムの性能に基づいて前記少なくとも１つのタイマー値の少なくとも１つを決定することを含む、請求項２に記載の方法。
【請求項１０】
前記送信ステップにおいて、前記少なくとも１つのタイマー値を指示する前記情報は、複数の通信装置へ送信される、請求項９に記載の方法。
【請求項１１】
前記送信ステップにおいて、前記少なくとも１つのタイマー値を指示する前記情報は、ターミナル管理インターフェイスを経て送信される、請求項１から１０のいずれかに記載の方法。
【請求項１２】
通信システムの性能に基づいて前記少なくとも１つのタイマー値を決定するステップを更に備えた、請求項１から１１のいずれかに記載の方法。
【請求項１３】
前記少なくとも１つのタイマー値を決定する前記ステップは、前記通信システムにおける少なくとも１つの遅延を決定することを含む、請求項１２に記載の方法。
【請求項１４】
前記少なくとも１つのタイマー値をネットワーク管理要素に記憶するステップを更に備えた、請求項１から１３のいずれかに記載の方法。
【請求項１５】
前記少なくとも１つのタイマー値を指示する前記情報を前記少なくとも１つの通信装置へ送信する前にネットワーク管理要素から前記少なくとも１つのタイマー値を問合せするステップを更に備えた、請求項１から１４のいずれかに記載の方法。
【請求項１６】
前記送信ステップにおいて、セッション制御プロトコルを構成するための情報が送信される、請求項１から１５のいずれかに記載の方法。
【請求項１７】
前記送信ステップにおいて、セッション開始プロトコルＳＩＰを構成するための情報が送信される、請求項１から１６のいずれかに記載の方法。
【請求項１８】
通信ネットワークにおける通信のベースとなるプロトコルのための制御情報を受け取る手段であって、前記制御情報は、前記通信ネットワークにより送信され、そして前記プロトコルのための少なくとも１つのタイマー値を指示するものである手段と、
前記制御情報に基づき、通信装置に使用されるプロトコルに関連した少なくとも１つのタイマー値を構成して、前記通信ネットワークにおけるセッションを制御する手段と、
を備えた通信装置。
【請求項１９】
前記制御情報を受け取る前記手段は、ターミナル管理インターフェイスを経て前記制御情報を受け取るように構成される、請求項１８に記載の通信装置。
【請求項２０】
前記制御情報を受け取る前記手段は、サービスへの加入に関連して前記制御情報を受け取るように構成される、請求項１８又は１９に記載の通信装置。
【請求項２１】
前記制御情報を受け取る前記手段は、パケットデータコンテクストをアクチベートすることに関連して前記制御情報を受け取るように構成される、請求項１８から２０のいずれかに記載の通信装置。
【請求項２２】
前記制御情報を受け取る前記手段は、サービスフレームワークへの登録に関連して前記制御情報を受け取るよう構成される、請求項１８から２１のいずれかに記載の通信装置。
【請求項２３】
前記制御情報を受け取る前記手段は、アクセスネットワークに入ることに関連して前記制御情報を受け取るよう構成される、請求項１８から２２のいずれかに記載の通信装置。
【請求項２４】
少なくとも１つのタイマー値を指示する制御情報を少なくとも１つの通信装置へ送信するための手段と、
通信ネットワークにおける通信のベースとなるプロトコルに関連した少なくとも１つのタイマーを構成する手段であって、前記プロトコルは、通信ネットワークにおけるセッションを制御するために前記少なくとも１つの通信装置に使用されるものである手段と、
を備えた通信システム。
【請求項２５】
前記制御情報を送信するための前記手段をトリガーする手段を更に備えた、請求項２４に記載の通信システム。
【請求項２６】
前記トリガー手段は、少なくとも通信装置に関連した所与のアクションに応答してトリガーするように構成され、そして前記制御情報を送信するための前記手段は、前記制御情報を通信装置へ送信するように構成される、請求項２５に記載の通信システム。
【請求項２７】
前記所与のアクションは、サービスに加入することを含む、請求項２６に記載の通信システム。
【請求項２８】
前記所与のアクションは、サービスフレームに登録することを含む、請求項２６又は２７に記載の通信システム。
【請求項２９】
前記所与のアクションは、アクセスネットワークに入ることを含む、請求項２６から２８のいずれかに記載の通信システム。
【請求項３０】
前記所与のアクションは、パケットデータコンテクストをアクチベートすることを含む、請求項２６から２９のいずれかに記載の通信システム。
【請求項３１】
前記トリガー手段は、少なくとも、前記通信システムにおける前記少なくとも１つのタイマー値を決定することに応答してトリガーするように構成される、請求項２５から３０のいずれかに記載の通信システム。
【請求項３２】
前記通信システムの性能に基づいて前記少なくとも１つのタイマー値を決定するための手段を更に備えた、請求項２４から３１のいずれかに記載の通信システム。
【請求項３３】
前記少なくとも１つのタイマー値をネットワーク管理要素に記憶するように構成された請求項３２に記載の通信システム。
【請求項３４】
前記少なくとも１つのタイマー値を指示する前記制御情報を前記少なくとも１つの通信装置へ送信する前にネットワーク管理要素から前記少なくとも１つのタイマー値を問合せするように構成された、請求項２４から３３のいずれかに記載の通信システム。
【請求項３５】
少なくとも１つのタイマー値を指示する制御情報を少なくとも１つの通信装置へ送信するための手段と、
通信ネットワークにおける通信のベースとなるプロトコルに関連した少なくとも１つのタイマーを構成する手段であって、前記プロトコルは、通信ネットワークにおけるセッションを制御するために前記少なくとも１つの通信装置に使用されるものである手段と、
を備えた通信システムのためのネットワーク要素。
【請求項３６】
前記ネットワーク要素は、ターミナル管理機能を含む、請求項３５に記載のネットワーク要素。
【請求項３７】
前記ネットワーク要素は、サービスフレームワーク登録機能を含む、請求項３５又は３６に記載のネットワーク要素。
【請求項３８】
前記ネットワーク要素は、パケットデータコンテクストアクチベーション機能を含む、請求項３５から３７のいずれかに記載のネットワーク要素。
【請求項３９】
少なくとも１つのタイマー値を指示する制御情報を少なくとも１つの通信装置へ送信するのをトリガーするための手段と、
通信ネットワークにおける通信のベースとなるプロトコルに関連した少なくとも１つのタイマーを構成する手段であって、前記プロトコルは、通信ネットワークにおけるセッションを制御するために前記少なくとも１つの通信装置に使用されるものである手段と、
を備えた通信システムのためのネットワーク要素。
【請求項４０】
前記ネットワーク要素は、サービス加入機能を含む、請求項３９に記載のネットワーク要素。
【請求項４１】
前記ネットワーク要素は、サービスフレームワーク登録機能を含む、請求項３９又は４０に記載のネットワーク要素。
【請求項４２】
前記ネットワーク要素は、パケットデータコンテクストアクチベーション機能を含む、請求項３９から４１のいずれかに記載のネットワーク要素。
【請求項４３】
通信ネットワークにおける通信のベースとなるプロトコルのための制御情報を受け取るように構成された受信器であって、前記制御情報は、前記通信ネットワークにより送信され、そして前記プロトコルのための少なくとも１つのタイマー値を指示するものである受信器と、
前記制御情報に基づいて、通信装置に使用されるプロトコルに関連した少なくとも１つのタイマー値を構成して、前記通信ネットワークにおけるセッションを制御するためのコントローラと、
を備えた通信装置。
【請求項４４】
少なくとも１つのタイマー値を指示する制御情報を少なくとも１つの通信装置へ送信するように構成された送信器と、
通信ネットワークにおける通信のベースとなるプロトコルに関連した少なくとも１つのタイマーを構成するためのコントローラであって、前記プロトコルは、通信ネットワークにおけるセッションを制御するために前記少なくとも１つの通信装置に使用されるものであるコントローラと、
を備えた通信システム。
【請求項４５】
少なくとも１つのタイマー値を指示する制御情報を少なくとも１つの通信装置へ送信するための送信器と、
通信ネットワークにおける通信のベースとなるプロトコルに関連した少なくとも１つのタイマーを構成するためのコントローラであって、前記プロトコルは、通信ネットワークにおけるセッションを制御するために前記少なくとも１つの通信装置に使用されるものであるコントローラと、
を備えた通信システムのためのネットワーク要素。
【請求項４６】
少なくとも１つのタイマー値を指示する制御情報を少なくとも１つの通信装置へ送信するのをトリガーするように構成された第１コントローラと、
通信ネットワークにおける通信のベースとなるプロトコルに関連した少なくとも１つのタイマーを構成するための第２コントローラであって、前記プロトコルは、通信ネットワークにおけるセッションを制御するために前記少なくとも１つの通信装置に使用されるものである第２コントローラと、
を備えた通信システムのためのネットワーク要素。
【請求項４７】
前記少なくとも１つのタイマーは、ラウンドトリップタイム（ＲＴＴ）推定に関連したタイマーを含む、請求項１に記載の方法。
【請求項４８】
前記プロトコルは、ＳＩＰプロトコルであり、そして前記少なくとも１つのタイマーは、ＳＩＰプロトコルの非ＩＮＶＩＴＥ要求及びＩＮＶＩＴＥ応答に対する最大再送信インターバルに関連したタイマーを含む、請求項１に記載の方法。
【請求項４９】
前記少なくとも１つのタイマーは、通信ネットワークにメッセージが存続する最大期間に関連したタイマーを含む、請求項１に記載の方法。
【発明の詳細な説明】
【技術分野】
【０００１】
本発明は、一般に、通信プロトコルのための制御情報を供給することに係る。より詳細には、本発明は、通信装置に使用されるプロトコルのための制御情報を供給することに係る。
【背景技術】
【０００２】
通信システムは、通信システムに関連したユーザ装置及び／又は他のノードのような２つ以上のエンティティ間の通信セッションを可能にするファシリティと考えられる。通信は、例えば、音声、データ、マルチメディア、等々の通信を含む。種々のユーザ装置を含む通信装置のためのワイヤレス通信を提供する通信システムが知られている。ワイヤレスシステムの一例は、公衆地上移動ネットワーク（ＰＬＭＮ）である。別の例は、ワイヤレスローカルエリアネットワーク（ＷＬＡＮ）である。
【０００３】
ＰＬＭＮは、通常、ベーストランシーバステーション（ＢＴＳ）又は同様のアクセスエンティティが、それらエンティティ間のワイヤレスインターフェイスを経て移動ステーション（ＭＳ）のようなユーザ装置（ＵＥ）にサービスするセルラーシステムである。通信に必要とされる装置のオペレーションは、１つ又は複数の制御エンティティにより制御することができる。種々の制御エンティティを相互接続することができる。又、１つ以上のゲートウェイノードを設けて、セルラーネットワークを、他のネットワーク、例えば、別のセルラーシステム、又は公衆交換電話ネットワーク（ＰＳＴＮ）、及び／又は他の通信ネットワーク、例えば、ＩＰ（インターネットプロトコル）及び／又は他のパケット交換データネットワークに接続することもできる。
【０００４】
従って、セルラーネットワークは、セルラーネットワーク、或いはセルラーネットワークの外部のエンティティ又はネットワークにより提供される種々のサービス及びアプリケーションへのアクセスを与えることができる。更に別のネットワークに接続された他のワイヤレスネットワークでも同じことが言える。アクセスネットワークとは独立した仕方でサービスを提供するためのアーキテクチャーも提案されている。例えば、会議コールファシリティを備えたこの手段は、ある定義された能力を有していてアクセスネットワークを経て会議コールファシリティにアクセスする通信装置により使用することができる。
【０００５】
通信装置により使用される特定のアクセスネットワークとは独立してサービスを提供するための１つの提案は、第三世代パートナーシッププロジェクト３ＧＰＰ仕様書に定義されたＩＰマルチメディアサブシステム（ＩＭＳ）である。ＩＭＳサービスは、ＩＰ接続性を与えるアクセスネットワークを経てアクセスすることができる。移動通信用のグローバルシステム（ＧＳＭ）及びユニバーサル移動テレコミュニケーションシステム（ＵＭＴＳ）に関連した汎用パケット無線サービス（ＧＰＲＳ）は、ＩＭＳのためのＩＰ接続性アクセスネットワーク（ＩＣＡＮ）の２つの例である。
【０００６】
ＩＭＳは、通信システムとして、サービス加入を制御し且つユーザへサービスを提供するための種々のエンティティを定義する。ＩＭＳでは、これらのエンティティは、ネットワークにおけるサーバーとして実施される。通信システムからサービスを要求できるようにするために、ユーザは、通常、サービスに加入する必要があると共に、サービング制御エンティティ内のシステムに登録される必要がある。ＩＭＳでは、加入者（加入者のプロフィール）に関する情報がホーム加入者サーバー（ＨＳＳ）に記憶され、そしてサービング制御エンティティは、サービングコールサービス制御ファンクション（Ｓ−ＣＳＣＦ）エンティティである。ユーザは、通信システムのアクセスエンティティを経てサービング制御エンティティに登録することができる。上述したように、ＩＭＳは、アクセスネットワークとは独立し、従って、アクセスネットワークはＩＰ接続を与えれば充分である。
【０００７】
サービング制御エンティティに加えて、ユーザは、プロキシー制御エンティティに関連付けされる必要がある。ＩＭＳでは、プロキシー制御エンティティは、Ｐ−ＣＳＣＦである。プロキシーエンティティは、ユーザがローミングしたエリアに指定される。より一般的なケースでは、ユーザが任意の形式のアクセスネットワークを経てネットワークにアクセスするときに、アクセスネットワークは、アクセスされたサービスを、そのネットワークの観点から、例えば、帯域巾管理について制御するために、プロキシー制御エンティティを指定すると仮定することができる。
【０００８】
ＩＭＳでは、コール状態制御ファンクション（ＣＳＣＦ）エンティティは、サービングコール状態制御（Ｓ−ＣＳＣＦ）、プロキシーコール状態制御（Ｐ−ＣＳＣＦ）、及び質問コール状態制御（Ｉ−ＣＳＣＦ）のようなファンクションを与えることができる。又、制御ファンクションは、ホーム加入者サーバー（ＨＳＳ）及び種々のアプリケーションサーバーのようなエンティティにより与えられてもよい。
【０００９】
ユーザ装置（通信装置）と、通信ネットワークの要素との間の通信は、通常、適当な通信プロトコル又は１組の適当な通信プロトコルに基づいている。更に、通信システムは、通常、システムの種々の要素が何を行うことが許されたか及びそれをいかに達成すべきかを述べた規格又は仕様書に基づいて動作する。又、所与の接続に対して使用しなければならない通信プロトコル及び／又はパラメータも、定義することができる。換言すれば、システムによる通信を可能にするために、通信のベースとなる特定の１組の「ルール」を定義する必要がある。
【００１０】
通信プロトコルは、通常、種々のアクション、及び例えば、要求されたアクションを実行できない場合にはデフォールトアクションにも関連したメッセージ又はメッセージシーケンスを定義する。又、プロトコルは、通常、送信されたメッセージに対する応答を受け取るための種々の指定の時間範囲も有する。応答が遅延した場合には、プロトコルは、通常、適切に機能しない。あるアクションに関連したメッセージを繰り返し送信することが必要になる。最悪のケースでは、要求されたアクションが全く実施されない。
【００１１】
ＩＭＳに使用される制御プロトコルの１つは、セッション開始プロトコル（ＳＩＰ）である。このＳＩＰは、インターネットエンジニアリングタスクフォース（ＩＥＴＦ）に供給されるコメント要求ＲＦＣ３２６１で指定されたプロトコルである。ＲＦＣ３２６１には、主としてセクション１７に、ＳＩＰに対する種々のタイマーが指定されている。ＲＦＣ３２６１のアネックスＡは、ＳＩＰに対するタイマー値をリストしている。
【００１２】
ＩＭＳに関して、セッション開始プロトコルは、例えば、Ｓ−ＣＳＣＦに登録すると共にセッションを設定するために使用される。ここで使用する「セッション」という語は、ユーザが行い得る任意の通信、例えば、コール、データ（例えば、ウェブブラウジング）又はマルチメディア通信、等を指すことが明らかであろう。ＩＭＳに関連したあるＳＩＰメッセージへの応答を受け取る際の遅延に関して、Ｓ−ＣＳＣＦへの登録が失敗したり、要求されたセッションが確立されなかったりすることがある。
【００１３】
ＲＦＣ３２６１で指定されたＳＩＰタイマー値は、ＩＭＳ及びＵＭＴＳを使用するに充分なほど長い必要はないことに注意されたい。これは、例えば、ＵＭＴＳではエアインターフェイスによりシグナリング遅延が生じるからである。この問題を克服するために、３ＧＰＰ仕様書、ＴＳ２４．２２９、バージョン５．６．０、リリース５のセクション７．７及びテーブル７．５には、長いタイマー値が指定されている。３ＧＰＰ仕様書は、ネットワーク要素間に使用するための第１のタイマー値、ユーザ装置（又はより一般的には、通信装置）に使用するための第２のタイマー値、及びユーザ装置に向かってＰ−ＣＳＣＦに使用するための第３のタイマー値を定義している。
【発明の開示】
【発明が解決しようとする課題】
【００１４】
オペレータのコアネットワーク要素のタイマー値は、対応する規格、例えば、３ＧＰＰ規格に定義された値に基づいて設定されねばならない。オペレータは、ネットワークの管理システムを使用してタイマー値を設定することができる。しかしながら、ネットワークの遅延は、例えば、ネットワークの規模、ネットワークの実施状態（異なる供給者）、ネットワークの構造及び複雑さのために、規格で推奨されるものより長くなることがある。それ故、オペレータは、エンドユーザに対する良好なコール成功率を保証するために、規格で指定されたものとは異なる（通常は、より長い）タイマー値の使用を望むことがある。移動電話のような通信装置のタイマー値は、ターミナルの製造段階中に売主により設定される。その後、転売者が、ターミナルをエンドユーザに販売する前にその値を変更することができる。エンドユーザは、通常、これらのタイマーを全く知らない。しかしながら、どのネットワークにターミナルが使用されるか知らず、従って、正しいタイマー値を前もって構成できないときに、問題が生じる。従って、オペレータのアクセス及びコアネットワークの遅延が、規格で推奨されるものより長い場合には、ターミナルのタイマー値が短過ぎることがある。
【００１５】
更に、ＩＭＳ及びＵＭＴＳに関して、一般的にＳＩＰに対するものとは異なるタイマー値をＳＩＰに対して指定することに関連して少なくとも１つの問題が生じる。通信装置は、多数のアクセスネットワークを経てＩＭＳにアクセスするか又はＩＭＳ以外の目的でＳＩＰを使用する能力をもつことができるので、通信装置は、ＳＩＰを使用するときに首尾良い制御機能を確保するために正しいタイマー値を決定して使用することができねばならない。
【００１６】
従って、ＳＩＰプロトコル又は他の制御プロトコルに対して正しいＳＩＰタイマー値を決定し、そしてそのタイマー値を通信装置に使用するように取り込むことに関して問題が生じる。
【００１７】
上述した問題は、第三世代通信システムにおけるＩＭＳに関連したものであるが、他のシステムにも同様の欠点が関連することがあり、従って、この説明は、これらの例に限定されるものでないことが明らかであろう。
【課題を解決するための手段】
【００１８】
本発明の実施形態の目的は、上述した１つ以上の問題に対処することである。
【００１９】
本発明の第１の態様は、プロトコルのための制御情報を与える方法において、少なくとも１つの通信装置に使用されるプロトコルに関連した少なくとも１つのタイマーを構成するために、少なくとも１つの通信装置へ少なくとも１つのタイマー値を指示する情報を送信するステップを備えた方法を提供する。
【００２０】
本発明の第２の態様は、プロトコルのための制御情報を受け取る手段であって、制御情報は、前記通信ネットワークにより送信され、そしてプロトコルのための少なくとも１つのタイマー値を指示するものである手段と、その受け取られた制御情報に基づいて、通信装置に使用されるプロトコルに関連した少なくとも１つのタイマー値を構成する手段と、を備えた通信装置を提供する。
【００２１】
本発明の第３の態様は、少なくとも１つのタイマー値を指示する制御情報を少なくとも１つの通信装置へ送信して、この少なくとも１つの通信装置に使用されるプロトコルに関連した少なくとも１つのタイマーを構成する手段を備えた通信システムを提供する。
【００２２】
本発明の第４の態様は、少なくとも１つのタイマー値を指示する制御情報を少なくとも１つの通信装置へ送信して、この少なくとも１つの通信装置に使用されるプロトコルに関連した少なくとも１つのタイマーを構成する手段を備えた通信システムのためのネットワーク要素を提供する。
【００２３】
本発明の第５の態様は、少なくとも１つのタイマー値を指示する制御情報を少なくとも１つの通信装置へ送信するのをトリガーして、この少なくとも１つの通信装置に使用されるプロトコルに関連した少なくとも１つのタイマーを構成する手段を備えた通信システムのためのネットワーク要素を提供する。
【発明を実施するための最良の形態】
【００２４】
以下、添付図面を参照して、本発明の実施形態を一例として説明する。
図１は、ＩＰマルチメディアサブシステムＩＭＳ１００の一般的アーキテクチャーを概略的に示す。ＩＭＳにより提供されるサービスを利用したいユーザは、先ず、サービングコントローラ、例えば、サービングコールセッション制御ファンクション（Ｓ−ＣＳＣＦ）１１０に登録する必要がある。図１に示すように、Ｓ−ＣＳＣＦ１１０と通信装置（ユーザ装置ＵＥ）１０１との間の通信は、少なくとも１つのプロキシーコールセッション制御ファンクション（Ｐ−ＣＳＣＦ）１１２を経てルーティングすることができる。従って、Ｐ−ＣＳＣＦ１１２は、Ｓ−ＣＳＣＦ１１０へメッセージをプロキシーするためのものである。通信装置１０１とＰ−ＣＳＣＦ１１２との間の通信は、通常、アクセスネットワーク１２０又はアクセスエンティティを経て与えられる。図示されていないが、接続には、Ｉ−ＣＳＣＦのような多数の他の要素を含むことができる。図１のサービングコントローラ、即ちＳ−ＣＳＣＦ１１０は、ユーザ装置１０１を登録する必要のある制御エンティティをなす。登録は、例えば、通信装置が、アプリケーションサーバー（ＡＳ）１１４ａ又は１１４ｂからサービスを要求し又は別のユーザ装置との端−端アプリケーションを実行できるようにするために、必要とされる。あるケースでは、Ｓ−ＣＳＣＦは、ある瞬間における登録プロセスの全数がＳ−ＣＳＣＦの容量にとって多過ぎることが分かる。このようなケースでは、Ｓ−ＣＳＣＦは、登録を禁止する応答を送信することにより登録要求を拒絶することができる。
【００２５】
又、各ユーザの加入に関連した情報を記憶するためにユーザ情報記憶エンティティを設けることもできる。このユーザ情報記憶エンティティは、加入者のホームネットワークのサーバーに位置することができる。このような加入者情報記憶エンティティは、異なる通信システムでは異なる用語で呼ぶことができ、ＩＭＳでは、加入者情報記憶装置は、ホーム加入者サーバー（ＨＳＳ）と称される。図１は、ホーム加入者サーバー（ＨＳＳ）１１６を示している。このＨＳＳ１１６は、例えば、セッション設定手順中及びその後に、適当な参照ポイントを経て、他のファンクションエンティティにより問合せすることができる。加入者情報は、認証目的に必要なデータのような情報（例えば、加入者又はユーザ装置の登録アイデンティティ）、等を含むことができる。又、ＨＳＳ１１６は、加入者プロフィール情報を永久的に記憶するのにも使用できる。
【００２６】
セッション開始プロトコルＳＩＰは、ＩＭＳにおけるセッションを制御するために使用される。従って、少なくとも次のエンティティ、即ち通信装置、ＵＥ、制御エンティティＳ−ＣＳＣＦ、及びプロキシーエンティティＰ−ＣＳＣＦが、ＳＩＰを使用する。ＳＩＰアーキテクチャーは、例えば、ＳＩＰクライアント、ＳＩＰサーバー、ＳＩＰプロキシー、及びユーザエージェント（ＵＡ）を含む。ＳＩＰクライアントは、ＳＩＰ要求を送信し且つＳＩＰ応答を受信するネットワーク要素である。ＳＩＰサーバーは、ＳＩＰ要求を受信して、それらにサービスし、そしてそれら要求に対するＳＩＰ応答を返送するネットワーク要素である。ＳＩＰプロキシーは、他のＳＩＰクライアントに代わって要求を発する目的で、ＳＩＰサーバー及びＳＩＰクライアントの両方として働く中間エンティティである。ＳＩＰプロキシーサーバーは、主として、ルーティングの役割を演じる。ユーザエージェントは、ユーザエージェントクライアント（ＵＡＣ）及びユーザエージェントサーバー（ＵＡＳ）の両方として働くことのできる論理的エンティティである。ユーザエージェントクライアントは、新たな要求を生成し、次いで、クライアントトランザクションステートマシンを使用してそれを送信する論理的エンティティである。ＵＡＣの役割は、そのトランザクションの期間中しか続かない。換言すれば、ソフトウェアの断片が要求を開始する場合に、そのトランザクションの期間中、ＵＡＣとして働く。後で要求を受け取る場合には、そのトランザクションの処理に対してユーザエージェントサーバーの役割を引き継ぐ。
【００２７】
ＩＭＳを参照すれば、ＩＭＳサービスを利用する通信装置は、一般に、ＳＩＰユーザエージェントとして働く。プロキシーエンティティＰ−ＣＳＣＦは、一般に、ＳＩＰプロキシーとして働くが、あるケースでは、ＳＩＰユーザエージェントとしても働く。制御エンティティＳ−ＣＳＣＦは、一般に、ＳＩＰプロキシーとして働くが、ＳＩＰレジスタの能力もある程度有し、登録要求を受け入れる。通信装置（ユーザ装置）、Ｓ−ＣＳＣＦ及びＰ−ＣＳＣＦの能力の詳細な説明は、３ＧＰＰ仕様書ＴＳ２４．２２９、バージョン５．６．０、リリース５に見ることができる。
【００２８】
図２は、ＳＩＰプロトコルに関連したプロトコルスタック２００を例示している。最下位のプロトコルレイヤＰＨＹ２０１は、物理的トランスポート媒体に関係している。次のプロトコルレイヤＭＡＣ２０２は、媒体アクセス制御に関係している。ＩＰプロトコルレイヤ２０３は、通常、ＭＡＣレイヤ２０２の上に設けられる。送信プロトコルレイヤ２０４は、通常、少なくとも送信制御プロトコル（ＴＣＰ）及びユーザデータグラムプログラム（ＵＤＰ）を含む。送信プロトコルレイヤ２０４の上にＳＩＰレイヤ２０５がある。
【００２９】
ＳＩＰレイヤ２０５は、次いで、４つのサブレイヤを含む。最下位のサブレイヤは、シンタックス／エンコードレイヤ２５１であり、これは、ＳＩＰメッセージ構造に関係していると共に、送信プロトコルレイヤ２０４にペイロード情報を与えるためのＳＩＰプロトコルメッセージのエンコードに関係している。次のサブレイヤは、トランスポートレイヤ２５２であり、これは、ネットワークを経てＳＩＰクライアントがいかに要求を送信し且つ応答を受信するか、及びＳＩＰサーバーがいかに要求を受信し且つ応答を送信するかを定義する。
【００３０】
次のサブレイヤは、トランザクションレイヤ２５３であり、このトランザクションレイヤ２５３の上には、トランザクションユーザ（ＴＵ）２５４と称されるレイヤがある。ユーザエージェントは、トランザクションレイヤ２５３を、ステートフル(stateful)なＳＩＰプロキシーのように含む。ステートレス(stateless)のＳＩＰプロキシーは、トランザクションレイヤ２５３を含まない。トランザクションレイヤ２５３は、クライアントコンポーネント（クライアントトランザクションと称される）及びサーバーコンポーネント（サーバートランザクションと称される）を有し、その各々は、特定のＳＩＰ要求を処理するように構成された限定ステートマシンにより表わされる。ＳＩＰエンティティの各々は、ステートレスのプロキシーを除いて、トランザクションユーザレイヤ２５４である。ＴＵは、これが要求を送信したいときには、クライアントトランザクションインスタンスを生成し、そして要求を送信しようとする行先ＩＰアドレス、ポート及びトランスポートと共に要求をそこに通す。
【００３１】
トランザクションは、ＳＩＰの基本的なコンポーネントである。トランザクションは、ＳＩＰ要求がＳＩＰクライアントトランザクション（トランスポートレイヤを使用する）によりＳＩＰサーバーへ送信されると共に、その要求に対する全ての応答がＳＩＰサーバーからＳＩＰクライアントへ返送されるものである。トランザクションレイヤは、アプリケーション−レイヤ再送信、要求に対する応答のマッチング、及びアプリケーション−レイヤ時間切れを取り扱う。ユーザエージェントクライアント（ＵＡＣ）が遂行するいかなるタスクも、一連のトランザクションを使用して行われる。
【００３２】
ＳＩＰは、トランザクションプロトコルであり、コンポーネント間の対話は、一連の独立したメッセージ交換で行われる。より詳細には、ＳＩＰトランザクションは、単一の要求と、その要求に対する応答とで構成され、これは、ゼロ以上の暫定的応答と、１つ以上の最終的応答とを含む。所与のＳＩＰメッセージに対して無応答である場合には、トランザクションレイヤ２５３のタイマーが、通常、時間切れとなり、ステートマシンが新たな状態に入るようにする。
【００３３】
ＳＩＰに対して多数のタイマーが指定される。テーブル１は、これらのタイマーをリストしたもので、ＲＦＣ３２６１の当該セクションを参照し、そして各タイマーの意味を簡単に説明する。テーブル１に示すように、タイマーＴ１は、ラウンドトリップ時間推定に関連し、デフォールト値は、５００ｍｓである。背景技術の説明に関連して上述したように、３ＧＰＰ仕様書、ＴＳ２４．２２９、バージョン５．６．０、リリース５のセクション７．７及びテーブル７．５には、長いタイマー値が指定されている。３ＧＰＰ仕様書は、ネットワーク要素間に使用するための第１のタイマー値、ユーザ装置（又はより一般的には、通信装置）に使用するための第２のタイマー値、及びユーザ装置に向かってＰ−ＣＳＣＦに使用するための第３のタイマー値を定義している。
【００３４】
テーブル１：ＳＩＰタイマー
2008501265.tif 000003
【００３５】
図３は、本発明の実施形態を適用できるシステムの一例として、第１通信システム３００ａ、第２通信システム３００ｂ及び通信装置３０１を概略的に示す。通信システム３００ａは、アクセスネットワーク３１０及びコアネットワーク３３０を一例として含む。図３は、第２通信システム３００ｂに関するアクセスネットワーク３２０のみを示す。２つのアクセスネットワーク３１０及び３２０は、地理的に個別であってもよいし、或いは異なるプロトコル及び装置を使用して実施されてもよい。第１アクセスネットワーク３１０及び第２アクセスネットワーク３２０は、通信装置３０１に対してインターネットプロトコル（ＩＰ）接続を与えることができる。図３は、第１アクセスネットワーク３１０がコアネットワーク３３０に直接接続されることを一例として示す。第２アクセスネットワーク３２０は、例えば、公衆ＩＰネットワーク３４０を経てコアネットワーク３３０に接続される。或いは、第２アクセスネットワーク３２０がコアネットワーク３３０に直接接続されることも考えられる。通信システム３００ａは、コアネットワーク３３０が制御エンティティＳ−ＣＳＣＦ３３１及びホーム加入者サーバーＨＳＳ３３２を含むという意味で、通信装置３０１を使用するユーザのホームネットワークである。又、コアネットワーク３３０には、アプリケーションサーバーＡＳ３３３が示されている。
【００３６】
当業者であれば、インターネットプロトコルに代わるものとして任意のパケットデータプロトコルを適用できることが明らかであろう。ＩＭＳは、ＩＰを参照するので、ここでは、パケットデータプロトコルの一例としてＩＰが使用される。又、当業者であれば、ＩＭＳアーキテクチャーは一例に過ぎず、同様の機能並びに同様の制御及びプロキシー機能及び／又はエンティティを有するいかなるサービスアーキテクチャーが使用されてもよいことが明らかであろう。更に、タイマーを有するプロトコルの一例として、より詳細には、制御プロトコルの一例として、ここでは、ＳＩＰプロトコルが使用される。
【００３７】
第１アクセスネットワーク３１０及び第２アクセスネットワーク３２０は、通常、ワイヤレスネットワークである。図３は、第１アクセスネットワーク３１０がＧＰＲＳネットワークであることを示している。第１ネットワーク３１０は、ベースステーションＢＳ３１２、ベースステーションコントローラ３１３、サービングＧＰＲＳサポートノードＳＧＳＮ３１４、及びゲートウェイＧＰＲＳサポートノードＧＧＳＮ３１５を含むように示されている。ＧＧＳＮは、通常、ＧＰＲＳネットワーク３１０のパケット交換部分をＩＰバックボーンネットワークへ接続する。アクセスネットワークの更なる例は、エンハンストデータレート・フォー・ＧＳＭエボリューション（ＥＤＧＥ）、ワイヤレスローカルエリアネットワーク（ＷＬＡＮ）、オペレータワイヤレスローカルエリアネットワーク（ＯＷＬＡＮ）、ＵＭＴＳの無線アクセスネットワーク、又はワイドバンドＣＤＭＡシステム（ＷＣＤＭＡ）の無線アクセスネットワークである。
【００３８】
第１アクセスネットワーク３１０及び第２アクセスネットワーク３２０の両方が同じ規格及び仕様書に基づくもので、例えば、両方がＧＰＲＳネットワークである場合でも、これらネットワークでは送信遅延がかなり異なることがある。通常、遅延は、例えば、無線アクセスネットワーク要素及びパケット交換ネットワーク要素によるものである。ＧＰＲＳの例では、無線アクセスネットワーク要素は、ベースステーション及びベースステーションコントローラであり、パケット交換ネットワーク要素は、ＳＧＳＮ及びＧＧＳＮである。又、例えば、アクセスネットワーク及びＩＰバックボーンネットワークの規模及び負荷も、遅延に影響し得る。同じ規模のネットワークでも、ネットワーク要素が異なる売主により製造されたことで、遅延が異なることがある。あるネットワークは、通常、非常にビジーであり、一方、別のネットワークは、通常、非常に負荷が軽いことがある。更に、遅延が、アクセスネットワークのカバレージエリア内の通信装置の位置に依存することも考えられる。
【００３９】
従って、通信装置３０１が、第１アクセスネットワーク３１０を経てアプリケーションサーバーＡＳ３３３により提供されるサービスにアクセスするときには、通信装置３０１が第２アクセスネットワーク３２０を経てサービスにアクセスするときとは異なるＳＩＰタイマー値を適用することができる。図３に示すように、通信装置は、制御プロトコル、より詳細には、ＳＩＰプロトコルに関連した少なくとも１つのタイマー３０２を有する。プロキシーエンティティＰ−ＣＳＣＦ３１１及び３２１も、制御プロトコルに関連した少なくとも１つのタイマー３１６、３２６を有する。又、制御エンティティＳ−ＣＳＣＦ３３１も、制御プロトコルに関連した少なくとも１つのタイマー３３５を有する。
【００４０】
通常、ネットワーク要素、例えば、サービングエンティティＳ−ＣＳＣＦ又はプロキシーエンティティＰ−ＣＳＣＦは、全てのセッションを制御するためにそれが使用する１組のタイマー値を有することが明らかである。ネットワーク要素が特定セッション向けタイマー又は特定ユーザ向けタイマーを有する場合には、それらは、ネットワーク要素がセッションを制御するところの通信装置と同じ値を有するように構成することができる。この構成は、例えば、ネットワークの通常の構成及び管理インターフェイスを使用して行うことができる。
【００４１】
あるネットワーク又はネットワークのある部分に関する遅延を測定及び決定して、ＳＩＰタイマーに対する適当なタイマー値を決定することができる。同様に、例えば、ＩＰバックボーンネットワークに関する遅延が著しい場合には、それらも考慮するようにＳＩＰタイマー値を選択することができる。
【００４２】
構成を必要とするＳＩＰプロトコルタイマーの１つの特定例は、ラウンドトリップタイマー、即ちタイマーＴ１である。ラウンドトリップタイマーは、ＲＦＣ３２６１のセクション１７．１．１．１に記載されたＳＩＰプロトコルのＩＮＶＩＴＥトランザクションに使用される。ＩＮＶＩＴＥトランザクションは、三方ハンドシェークより成る。クライアントトランザクションは、ＩＮＶＩＴＥメッセージを送信し、サーバートランザクションは、応答を送信し、そしてクライアントトランザクションは、ＡＣＫメッセージを送信する。信頼性のない搬送（ＵＤＰのような）の場合に、クライアントトランザクションは、Ｔ１秒でスタートしそして再送信のたびに倍になるインターバルで要求を再送信する。Ｔ１は、ラウンドトリップ時間（ＲＴＴ）の推定値であり、そのデフォールトは、ＲＦＣ３２６１に基づき５００ｍｓである。テーブル１に示すように、多数の他のタイマーがＴ１でスケーリングされる。これは、Ｔ１を変化すると、これら他のタイマーの値も調整されることを意味する。
【００４３】
ＳＩＰプロトコルを制御するために、タイマー値が通信システムから通信装置３０１へ送信される。通信装置３０１には、通信ネットワークから構成情報又は制御情報を受け取る機能を設けることができる。構成情報又は制御情報を送信及び受信する１つの例は、オーバー・ジ・エア(Over-the-Air)（ＯＴＡ）インターフェイスである。通常、構成情報又は制御情報は、ホームネットワーク（図３の通信システム３００ａ）又は訪問先ネットワーク（図３の通信システム３００ｂ）により供給される。
【００４４】
図４は、本発明の第１実施形態による構成を概略的に示す。本発明の第１実施形態は、サービスへの加入、例えば、ユーザがＩＭＳサービスに加入することに係る。図４のサービス加入マネージャー４１０は、サービス加入の役割を果たすエンティティの一例である。このサービス加入マネージャーは、例えば、管理者からサービス加入を受け取ることができる。更に別の例は、ユーザがＷＷＷページにアクセスすることによりサービスに加入できることである。サービス加入情報をサービス加入マネージャー４１０に入力する可能性は他にも多数あることが明らかである。サービス加入を受け取ると、サービス加入マネージャー４１０は、ユーザ及び加入サービスに関する情報を、例えば、サービス加入情報を記憶するための記憶装置（図４には示さず）に記憶する。ＩＭＳでは、例えば、サービス加入に関する情報がＨＳＳに記憶される。
【００４５】
本発明の第１実施形態では、ホームネットワークに使用するのに適したタイマー値が、サービスに加入するユーザの通信装置４０１へ送信される。ホームネットワークに使用するのに適したタイマー値が送信されるのは、通信装置４０１がプリセットタイマー値をユーザの通信装置に有するが、それらは、ホームネットワークに適したタイマー値とは異なるからである。或いは又、通信装置４０１は、プリセットタイマー値に欠けることがある。適当なタイマー値を送信するために、サービス加入マネージャー４１０は、ホームネットワークのためのタイマー値を情報記憶装置４２０からフェッチすることができる。タイマー値は、例えば、適当なネットワーク要素に記憶することができる。制御プロトコル、例えば、ＩＭＳに関連したＳＩＰのためのタイマー値は、例えば、ターミナルマネージャー４３０を経てユーザの通信装置４０１へ送信される。
【００４６】
タイマー値は、例えば、オーバー・ジ・エア（ＯＴＡ）インターフェイスを使用するか又はＳｙｎｃＭＬを使用して、ターミナルマネージャー４３０により送信することができる。ＯＴＡインターフェイスとは、ショートメッセージ（ＳＭＳ）を使用して通信装置へ制御情報を送信することを指す。ＯＴＡインターフェイスは、クライアントプロビジョニング及び装置管理に係り、これは、オープンモービルアリアンス(Open Mobile Alliance)により規定される。このケースでは、ユーザは、受け取ったタイマー値を明確に受け容れることが必要となる。ＳｙｎｃＭＬは、クライアント−サーバー解決策に基づくもので、従って、通信装置４０１は、ユーザと対話せずにタイマー値を受け取ってセーブすることのできるクライアントアプリケーションを含む。タイマー値を通信装置４０１へ送信する可能性は、他にも多数あることが明らかであろう。更に、タイマー値は、他の制御情報と一緒に送信できることも明らかであろう。このような他の制御情報の一例は、通信装置のユーザがＩＭＳサービスにアクセスできるようにするためにＩＭＳ加入の後に通信装置４０１へ送信されるＩＭＳパラメータである。
【００４７】
図５は、本発明の第２実施形態による構成を概略的に示す。本発明のこの第２実施形態は、タイマー値を、特に、ローミング中のユーザへ配送するのに適している。図５において、ＩＭＳアーキテクチャーが一例として使用される。ローミング中のユーザの通信装置５０１は、プロキシー制御エンティティＰ−ＣＳＣＦ５１１を経てサービング制御エンティティＳ−ＣＳＣＦ５２１へそれ自身を登録する。プロキシー制御エンティティＰ−ＣＳＣＦ５１１は、訪問先ネットワーク５１０にあり、そしてサービング制御エンティティＳ−ＣＳＣＦ５２１は、ホームネットワーク５２０にある。
【００４８】
通信装置５０１が訪問先ネットワーク５１０に入るときに通信装置に使用されるＳＩＰタイマー値は、例えば、関連３ＧＰＰ規格によるデフォールトＳＩＰタイマー値でよい。第２の例として、タイマー値は、ＩＭＳサービスに加入するときに通信装置５０１のユーザのホームネットワークにより設定されてもよい。訪問先ネットワーク５１０は、異なるＳＩＰタイマー値を使用してもよい。通信装置５０１及びプロキシー制御エンティティＰ−ＣＳＣＦ５１１は、セッション開始を確実で且つ成功裡なものとするために同じＳＩＰタイマー値を使用しなければならない。それ故、訪問先ネットワークは、ローミング中のユーザの通信装置５０１へ少なくとも１つのタイマー値を指示する情報を送信することができる。
【００４９】
図５は、送信側ＳＩＰタイマー値の一例を概略的に示す。プロキシー制御エンティティＰ−ＣＳＣＦ５１１は、少なくとも１つのＳＩＰタイマー値を指示する情報を送信することができる。より詳細には、プロキシー制御エンティティＰ−ＣＳＣＦ５１１は、ＳＩＰプロトコルメッセージにおいてタイマー値を送信することができる。通信装置５０１は、更なるＳＩＰメッセージ交換を続ける前に、受け取ったＳＩＰタイマー値を使用に供するように構成する必要がある。実際に、これは、ＳＩＰプロトコルスタックをオンザフライで構成する必要がある。通信装置５０１がＳＩＰプロトコルスタックを構成できないか又は受け取ったタイマー値を処理できない場合には、その受け取ったタイマー値を無視し、現在のタイマー値の使用を続けてもよい。
【００５０】
図６は、ＳＩＰプロトコルメッセージを使用してＳＩＰタイマー値を送信する例として、本発明の第２実施形態によるメッセージシーケンスチャートを示す。図６は、ユーザがローミングするときに登録するためのメッセージシーケンスチャートを示す。ローミング中のユーザの通信装置５０１は、登録メッセージ６０１をプロキシー制御エンティティＰ−ＣＳＣＦ５１１へ送信する。登録メッセージ６０１に存在するローミング中のユーザの識別子に基づいて、例えば、ユニフォームリソース識別子（ＵＲＩ）に基づいて、プロキシー制御エンティティＰ−ＣＳＣＦ５１１は、ユーザが訪問先ドメインから登録していると決定し、そしてドメインネームサーバー（ＤＮＳ）問合せ（図６の矢印６０２）を実行して、ホームネットワーク５２０における質問制御エンティティＩ−ＣＳＣＦを探索する。ＤＮＳは、ホームネットワーク５２０におけるＩ−ＣＳＣＦのアドレスをＰ−ＣＳＣＦ５１１に与える。その後、プロキシー制御エンティティＰ−ＣＳＣＦ５１１は、ホームネットワーク５２０における質問制御エンティティＩ−ＣＳＣＦへ登録メッセージ６０３を転送する。質問制御エンティティＩ−ＣＳＣＦは、次いで、ホームネットワーク５２０におけるＨＳＳとでユーザ登録状態問合せ（矢印６０４）を実行する。その後、質問制御エンティティは、登録メッセージ６０５をホームネットワーク５２０におけるサービング制御エンティティＳ−ＣＳＣＦ５２１へ転送する。サービング制御エンティティＳ−ＣＳＣＦ５２１は、最も簡単なケースでは、登録タイマーを更新するだけである（図６のステップ６０６）。或いは又、Ｓ−ＣＳＣＦは、他のタスクを実行してもよい。その後、サービング制御エンティティＳ−ＣＳＣＦ５２１は、質問制御エンティティＩ−ＣＳＣＦに２００ＯＫメッセージで応答する。質問制御エンティティＩ−ＣＳＣＦは、２００ＯＫメッセージ６０８をプロキシー制御エンティティＰ−ＣＳＣＦへ転送し、これは、次いで、２００ＯＫメッセージ６０９を通信装置５０１へ転送する。３ＧＰＰ仕様書ＴＳ２４．２２８、バージョン５．６．０、リリース５のセクション６．３は、図６のメッセージチャートを詳細に説明している。
【００５１】
ＳＩＰタイマー値は、２００ＯＫメッセージ６０９の後に、プロキシー制御エンティティＰ−ＣＳＣＦ５１１から通信装置５０１へ送信されてもよい。図６は、これをメッセージ６１０として示している。或いは又、２００ＯＫメッセージ６０９を新たなメッセージ６１０と交換することもできる。しかしながら、この第２の選択肢は、第１の選択肢よりも、現在のＳＩＰプロトコルに、より多くの変更を必要とすることがある。
【００５２】
図４に関しては、ホームネットワーク５２０における質問制御エンティティＩ−ＣＳＣＦ又はサービング制御エンティティＳ−ＣＳＣＦ５２１がホームネットワーク５２０のターミナルマネージャーをトリガーして、ＳＩＰタイマー値を通信装置５０１へ送信できることが明らかである。このケースでは、適当なＳＩＰタイマー値を、例えば、プロキシー制御エンティティＰ−ＣＳＣＦ５１１のアドレス又はアイデンティティに基づいてデータベースからフェッチすることができる。或いは又、プロキシー制御エンティティＰ−ＣＳＣＦ５１１、又は訪問先ネットワーク５１０の他のエンティティは、タイマー値を通信装置５０１へ送信するためにタイマー値をホームネットワーク５２０へ送信してもよい。
【００５３】
又、例えば、サービング制御エンティティＳ−ＣＳＣＦ５２１が、タイマー値を指示する情報の送信をトリガーする場合には、ユーザがホームネットワーク５２０にいるか又は訪問先ネットワーク５１０にいるかに関わらず、タイマー値をユーザに送信できることも明らかであろう。しかしながら、タイマー値は、ユーザが現在いるネットワークに使用するのに適した値でなければならない。
【００５４】
図７は、本発明の第３実施形態による構成を概略的に示す。又、本発明のこの第３実施形態は、ローミング中のユーザにタイマー値を送信するのに適したものである。図７では、ＩＭＳ及びＧＰＲＳが一例として使用される。図７は、ＧＰＲＳローミングと称されるローミングシナリオを示す。無線アクセスネットワーク７１１及びサービングＧＰＲＳサポートノード（ＳＧＳＮ）７１２が訪問先ネットワーク７１０にある。ゲートウェイＧＰＲＳサポートノード（ＧＧＳＮ）７２２及びサービング制御エンティティＳ−ＣＳＣＦ７２１がホームネットワーク７２０にある。ローミング通信装置７０１は、矢印７３１で示すように、ＳＧＳＮ７１２とでパケットデータコンテクストのアクチベーションを開始する。それに応答して、ＳＧＳＮ７１２は、ＳＩＰプロトコルに対する少なくとも１つのタイマー値を指示する情報を送信する（図７の矢印７３２）。
【００５５】
図８は、本発明の第３実施形態として、Ｐ−ＣＳＣＦ発見のためのＧＰＲＳ手順に関するメッセージシーケンスチャートである。ローミング通信装置７０１、ＳＧＳＮ７１２及びＧＧＳＮ７２２が図８に示されている。通信装置７０１は、ＰＤＰコンテクストアクチベート要求８０１をＳＧＳＮ７１２へ送信することによりパケットデータコンテクストの確立を要求する。このＰＤＰコンテクストアクチベート要求８０１がＳＩＰタイマー値の明確な要求を含んでもよいし、或いはＳＧＳＮがこのメッセージ８０１をＳＩＰタイマー値の要求として解釈してもよい。ＳＧＳＮ７１２は、ＧＧＳＮを選択し、そしてその選択されたＧＧＳＮ７２２へＰＤＰコンテクスト生成要求を送信する。ＧＧＳＮ７２２は、プロキシー制御エンティティＰ−ＣＳＣＦのアドレスを得る（図８のステップ８０３）。その後、ＧＧＳＮ７２２は、ＰＤＰコンテクスト生成応答８０４をＳＧＳＮ７１２へ送信する。このメッセージを受け取ると、ＳＧＳＮ７１２は、ＰＤＰコンテクストアクチベート受け容れメッセージ８０５を通信装置７０１へ送信する。ＳＩＰタイマー値は、このメッセージ８０５の一部分を形成してもよいし、又は付加的なメッセージにおいて送信されてもよい。
【００５６】
図８に関する更なる詳細は、３ＧＰＰ仕様書、ＴＳ２４．２２８、バージョン５．６．０、リリース５のセクション５．２．３に見られる。
【００５７】
図９は、本発明の実施形態による通信システム９００を一例として概略的に示す。図９に示す機能的ブロックは、種々のネットワーク要素で実施できることが明らかであろう。
【００５８】
送信ブロック９０１は、通信装置に使用されるプロトコルのための少なくとも１つのタイマー値を指示する情報を送信する役割を果たす。送信ブロック９０１が実施されるネットワーク要素の幾つかの例は、ターミナルマネージャー４３０、プロキシー制御エンティティＰ−ＣＳＣＦ５１１及びＳＧＳＮ７１２である。トリガーブロック９０２は、タイマー値の送信をトリガーする役割を果たす。トリガーブロック９０２は、送信ブロック９０１と一緒に実施されることが考えられる。トリガー機能が実施されるネットワーク要素の幾つかの例は、加入マネージャー４１０、サービング制御エンティティＳ−ＣＳＣＦ５２１（通常、送信ブロック９０１とは別々）、プロキシー制御エンティティＰ−ＣＳＣＦ５１１（通常、送信ブロック９０１と一緒）、及びＳＧＳＮ７１２（通常、送信ブロック９０１と一緒）である。又、トリガーブロック９０２は、特に、ネットワークに接続された多数の又は全部のターミナルのタイマー値を構成することをオペレータが決定した場合には、オペレータの管理インターフェイスのどこかに置くことができる。
【００５９】
又、図９は、通信システム性能に基づいてタイマー値を決定する役割を果たすタイマー値決定ブロック９０３も示す。この決定ブロック９０３は、タイマー値を記憶装置９０４に記憶することができる。送信ブロック９０１は、記憶装置９０４からタイマー値にアクセスすることができる。又、決定ブロック９０３は、新たなタイマー値を多数の通信装置へ送信しなければならないことをトリガーブロック９０２に通知できる。これら通信装置は、例えば、通信システムを現在使用している通信装置でよい。図５及び７の構成をここに適用することができる。或いは又、ホームネットワークが、ホームネットワークに現在送信するホームネットワークユーザへ新たなタイマー値を送信してもよい。
【００６０】
構成ブロック９０５は、関連ネットワーク要素に対して新たなタイマー値を構成する役割を果たす。関連ネットワーク要素の例は、ローミング中のユーザに対するプロキシー制御エンティティＰ−ＣＳＣＦ、及びホームネットワークのユーザに対するサービング制御エンティティＳ−ＣＳＣＦである。
【００６１】
図９のブロック９０３、９０４及び９０５は、通常、ネットワークオペレータのネットワーク管理システムにおいて実施されることが明らかである。
【００６２】
図１０は、本発明の実施形態を適用できる通信装置１０００を一例として概略的に示す。この通信装置１０００は、通信システムにより送信された少なくとも１つのタイマー値を指示する情報を受け取るための機能１０１０を含む。又、通信装置１０００は、プロトコル１０３０に関する少なくとも１つのタイマー１０３１を構成するための機能１０２０も含む。通常、このタイマー構成機能１０２０は、関連プロトコルスタックを構成するようにされたアプリケーションとして設けられる。ＳＩＰプロトコルに関して、トランザクションレイヤ２５３に関連した少なくとも１つのタイマーは、新たな値を有するように構成される。
【００６３】
タイマー構成機能１０２０は、プロトコルに関するタイマーのための少なくとも１つの以前の値１０２１、通常、以前の１組のタイマー値を記憶するようにされる。少なくとも１つの以前のタイマー値（以前の１組のタイマー値）を記憶することは、例えば、ローミング通信装置が新たなネットワークに入りそして新たなネットワークが少なくとも１つのタイマー値を指示する情報を送信する機能をもたない場合に、有用である。例えば、Ｓ−ＣＳＣＦへの登録の繰り返しの失敗により、最後の１組のタイマー値が厳格過ぎるタイマー値を定義していることが通知される場合には、以前の１組のタイマー値を使用に供することができる。或いは又、タイマー構成機能１０２０は、タイマー値のデフォールトセットを記憶するようにされてもよい。これらのデフォールト値は、新たなアクセスネットワークが制御プロトコルのためのタイマー値を指示する情報を送信しないときに使用されてもよい。更に別の選択肢は、タイマー構成機能１０２０が２組のデフォールトタイマー値を記憶するようにされるもので、第１組のタイマー値は、ホームネットワークに関連し、第２組のタイマー値は、訪問先ネットワークに関連している。この場合に、通信装置が新たなネットワークに入ると、タイマー構成機能１０２０は、新たなネットワークがホームネットワークであるか訪問先ネットワークであるか通知され、そしてそれに応じてプロトコルタイマーを更新することができる。
【００６４】
以上の詳細な説明では、セッション開始プロトコルＳＩＰが制御プロトコルの一例として使用され、そしてＩＭＳがサービス提供アーキテクチャーの一例として使用されたが、本発明は、他のプロトコル、制御プロトコル、及びサービスアーキテクチャー／フレームワークにも適用できることが明らかであろう。
【００６５】
特許請求の範囲では、サービスフレームワークへの登録は、通信装置がサービスフレームワークのサービスにアクセスできるようにするために通信装置とサービスフレームワークの関連ネットワークエンティティとの間で実施されるアクションを指すことが明らかであろう。ＩＭＳは、前記ではサービスフレームワークの特定例として使用された。サービスフレームワークへの登録は、例えば、通信装置が訪問先アクセスネットワークに入るか又はホームアクセスネットワークに入るときに自動的に実行されてもよい。
【００６６】
通信装置のプロトコルを構成するために少なくとも１つのタイマー値を指示する情報を通信装置へ送信することは、ＩＭＳのようなサービスフレームワーク以外の接続にも適用できることが明らかであろう。例えば、タイマー値を指示する情報は、訪問先アクセスネットワークに入るときに、例えば、通信装置が訪問先セルラー通信ネットワークをローミングするときに、通信装置へ送信されてもよい。
【００６７】
更に、特許請求の範囲において、ある手順に関して、例えば、サービスフレームワークへ登録するか又はパケットデータコンテクストをアクチベートすることに関して、少なくとも１つのタイマー値を指示する情報を送信することは、その情報を手順の一部分として送信することを指すことが明らかであろう。通常、情報は、その手順に使用される同じプロトコルのメッセージ（１つ又は複数）を使用して送信される。
【００６８】
又、通信装置は、通信システムと通信でき且つサービスにアクセスして利用するに必要な機能を有するものであれば、いかなる通信装置でもよいことが明らかであろう。通信装置は、例えば、ユーザ装置、移動電話、移動ステーション、パーソナルデジタルアシスタント、ラップトップコンピュータ、等である。更に、通信装置は、人間のユーザによって直接使用される装置でなくてもよい。
【００６９】
本発明の好ましい実施形態及び本発明を実施する方法は、添付図面に図示して、以上に詳細に説明したが、本発明は、それら実施形態に限定されるものではなく、特許請求の範囲に規定された本発明の精神から逸脱せずに、多数の再配列、変更及び置き換えがなされ得ることを理解されたい。
【図面の簡単な説明】
【００７０】
【図１】ＩＰマルチメディアサブシステムの一般的なアーキテクチャーを示す概略図である。
【図２】ＳＩＰプロトコルに関連したプロトコルスタックを示す概略図である。
【図３】本発明の実施形態を適用できる通信システムを例示する概略図である。
【図４】本発明の第１実施形態に基づく構成を示す概略図である。
【図５】本発明の第２実施形態に基づく構成を示す概略図である。
【図６】本発明の第２実施形態に関連したメッセージシーケンスを例示するチャートである。
【図７】本発明の第３実施形態に基づく構成を示す概略図である。
【図８】本発明の第３実施形態に関連したメッセージシーケンスを例示するチャートである。
【図９】本発明の実施形態に基づく通信システムを例示する概略図である。
【図１０】本発明を実施する通信装置を例示する概略図である。
【図１】
2008501265.tif 000004
【図２】
2008501265.tif 000005
【図３】
2008501265.tif 000006
【図４】
2008501265.tif 000007
【図５】
2008501265.tif 000008
【図６】
2008501265.tif 000009
【図７】
2008501265.tif 000010
【図８】
2008501265.tif 000011
【図９】
2008501265.tif 000012
【図１０】
2008501265.tif 000013
【国際調査報告】
2008501265.tif 000014
2008501265.tif 000015